(57)【要約】【課題】各測定点において測定したデータの平均値、分散値等を自動的に計算して処理することにより、オペレータの負荷を軽減する計測方法を提供する。【解決手段】少なくとも１つのコンピュータを用いて、計測機器を制御して測定を行い、測定によって得られたデータを処理する方法であって、第１のコンピュータを用いて計測機器を制御して所定の時間毎に所定の回数の測定を行い、測定によって得られた複数のデータを第１のコンピュータに取り込むステップ（ａ）と、ステップ（ａ）において取り込まれた複数のデータに基づいて統計処理を行うことにより統計データを得るステップ（ｂ）と、ステップ（ｂ）において得られた統計データを第２のコンピュータのクリップボードに書き込むステップ（ｃ）とを具備する。【選択図】　図１
2004101370.tif 000002
【特許請求の範囲】
【請求項１】
少なくとも１つのコンピュータを用いて、計測機器を制御して測定を行い、測定によって得られたデータを処理する方法であって、
第１のコンピュータを用いて計測機器を制御して所定の時間毎に所定の回数の測定を行い、測定によって得られた複数のデータを第１のコンピュータに取り込むステップ（ａ）と、
ステップ（ａ）において取り込まれた複数のデータに基づいて統計処理を行うことにより統計データを得るステップ（ｂ）と、
ステップ（ｂ）において得られた統計データを第２のコンピュータのクリップボードに書き込むステップ（ｃ）と、
を具備する計測方法。
【請求項２】
前記第１のコンピュータと前記第２のコンピュータが同一のコンピュータであることを特徴とする請求項１記載の計測方法。
【請求項３】
前記第２のコンピュータにおいて、前記クリップボードに書き込まれた統計データをソフトウェアによって処理するステップ（ｄ）をさらに具備する請求項１又は２記載の計測方法。
【発明の詳細な説明】
【発明の属する技術分野】
本発明は、センサに接続された電圧／電流計等の測定機器を用いて測定したデータの処理を行う計測方法に関する。
【従来の技術】
従来から、ＭＳ−Ｗｉｎｄｏｗｓ（登録商標）等のオペレーションソフト上で動作する計測ソフトウェアは、センサに接続された電圧／電流計等の計測機器から所定のサンプリング時間毎に測定した複数のデータを取り込み、取り込んだデータをソフトウェア上に表示し、また、時間情報と共に任意のファイル形式で保存していた。さらに、複数のデータを用いて解析を行うために、ＭＳ−Ｅｘｃｅｌ等の表計算アプリケーションソフトウェアを用いて、任意のファイル形式で保存した複数のデータの平均値及び分散値（ばらつき）等が求められ、別のファイルとして保存されていた。
【０００１】
図３に、従来の計測方法のフローチャートを示す。図３に示すステップＳ１０１において、オペレータは、データの計測間隔（サンプリング時間Δｔ）及びデータの計測回数（サンプリング数ｎ）を計測ソフトウェアに指定する。
【０００２】
ステップＳ１０２において、計測ソフトウェアは、計測機器に命令を送ることにより、サンプリング時間Δｔ毎に測定したサンプリング数ｎ回のデータを取り込み、取り込んだデータをディスプレイ上に表示する。
【０００３】
ステップ１０３において、計測ソフトウェアは、取り込んだデータを時間情報と共に任意のファイル形式で保存する。図４は、保存されるデータの構成を示す図である。図４に示すように、測定した時間及び測定したデータＤ（ｉ）、データＥ（ｉ）、データＦ（ｉ）、・・・を１組とし（ｉ＝１、２、・・・、ｎ）、ｎ組のデータをデータファイルに保存する。
【０００４】
ステップ１０４において、オペレータは、ＭＳ−Ｅｘｃｅｌ等の表計算アプリケーションソフトウェアを用いて、ｎ組のデータを保存したデータファイルから表計算アプリケーションソフトウェア上にデータを移動させることにより、ｎ組のデータの表を作成する。
【０００５】
ステップＳ１０５において、表計算アプリケーションソフトウェアを用いて、ｎ組のデータの表において、各データの平均値、分散値等の値を求める。
【０００６】
ステップＳ１０６において、求めたデータの平均値、分散値等を、ステップＳ１０３で作成したデータファイルとは異なるデータファイルに保存する。
【０００７】
ステップＳ１０７において、他の測定点があるか否かを判定する。ここで、他の測定点がある場合にはステップＳ１０１〜Ｓ１０７を繰り返し、他の測定点が無い場合には測定を終了する。
【０００８】
このようにして、１つ又は複数の測定点において複数のデータを測定し、各点において測定した複数のデータの平均値、分散値等を求めることができる。
【０００９】
しかしながら、複数の測定点の各々におけるデータの平均値、分散値等を求める場合には、複数のデータファイルを測定点毎に表計算アプリケーションソフトウェア等で処理する必要があった。したがって、測定点が多くなるにつれて、この作業の負荷は無視できないという問題があった。
【発明が解決しようとする課題】
そこで、上記の点に鑑み、本発明は、各測定点において測定したデータの平均値、分散値等を自動的に計算して処理することにより、オペレータの負荷を軽減する計測方法を提供することを目的とする。
【課題を解決するための手段】
以上の課題を解決するため、本発明に係る計測方法は、少なくとも１つのコンピュータを用いて、計測機器を制御して測定を行い、測定によって得られたデータを処理する方法であって、第１のコンピュータを用いて計測機器を制御して所定の時間毎に所定の回数の測定を行い、測定によって得られた複数のデータを第１のコンピュータに取り込むステップ（ａ）と、ステップ（ａ）において取り込まれた複数のデータに基づいて統計処理を行うことにより統計データを得るステップ（ｂ）と、ステップ（ｂ）において得られた統計データを第２のコンピュータのクリップボードに書き込むステップ（ｃ）とを具備する。
【００１０】
以上の様に構成した本発明に係る計測方法によれば、各測定点において測定したデータの平均値、分散値等を自動的に計算し、クリップボードに書き込むことにより、測定終了後、ＭＳ−Ｅｘｃｅｌ等のアプリケーションソフトウェア上でコピーを行うだけで容易に必要なデータを貼り付けられるので、オペレータの負荷を軽減し、作業の効率化を図ることができる。
【発明の実施の形態】
以下、図面に基づいて、本発明の実施の形態について説明する。
図１に、本発明の一実施形態に係る計測方法のフローチャートを示す。図１に示すステップＳ１において、オペレータは、データの計測間隔（サンプリング時間Δｔ）及びデータの計測回数（サンプリング数ｎ）を計測ソフトウェアに指定する。
【００１１】
ステップＳ２において、計測ソフトウェアは、計測機器に命令を送ることにより、サンプリング時間Δｔ毎に測定したサンプリング数ｎ回のデータを取り込み、取り込んだデータをディスプレイ上に表示する。
【００１２】
ステップＳ３において、計測ソフトウェアは、ｎ回の測定終了後に、ｎ回の測定により取り込んだ各データの平均値、分散値等の値を求める。
【００１３】
ステップＳ４において、異なるソフトウェア上でデータを扱うために、求めたデータの平均値、分散値等を、計測機器を制御しているコンピュータ又は他のコンピュータのクリップボードに書き込む。図２に、クリップボードに書き込んだデータのフォーマットを示す。図２は、３軸センサのＸ平均値、Ｘ分散値、Ｙ平均値、Ｙ分散値、Ｚ平均値、Ｚ分散値を示す例である。図２に示すように、各データの平均値及び分散値はＴＡＢにより区切られ、クリップボードに書き込まれる。
【００１４】
ステップＳ５において、オペレータは、クリップボードに書き込まれたデータの平均値、分散値等をＭＳ−Ｅｘｃｅｌ等のアプリケーションソフトウェアにコピーし、ステップＳ６において、データファイルに保存する。
【００１５】
ステップＳ７において、他の測定点があるか否かを判定する。ここで、他の測定点がある場合にはステップＳ１〜Ｓ６を繰り返し、他の測定点が無い場合には測定を終了する。
【発明の効果】
以上述べた様に、本発明によれば、各測定点において測定したデータの平均値、分散値等を自動的に計算し、クリップボードに書き込むことにより、測定終了後、ＭＳ−Ｅｘｃｅｌ等のアプリケーションソフトウェア上でコピーを行うだけで容易に必要なデータを貼り付けられるので、オペレータの負荷を軽減し、作業の効率化を図ることができる。
【図面の簡単な説明】
【図１】本発明の一実施形態に係る計測方法のフローチャートを示す図である。
【図２】本発明の一実施形態に係る計測方法においてクリップボードに書き込まれるデータのフォーマットを示す図である。
【図３】従来の計測方法のフローチャートを示す図である。
【図４】従来の計測方法において保存されるデータの構成を示す図である。
【図１】
2004101370.tif 000003
【図２】
2004101370.tif 000004
【図３】
2004101370.tif 000005
【図４】
2004101370.tif 000006